(57)【要約】【課題】多数の条を形成することができ、安定して螺合し、嵌合力が高く、遮光性に優れ、迷光によるフレア，ゴースト等が生じにくいレンズ鏡筒を提供する。【解決手段】螺旋方向移動から円周方向移動へ切り替わり時には、第１の山部２ａが第５の山部１ｃに当接し、オスヘリコイド２は、メスヘリコイド１に対し回転移動のみをすることとなる。また、円周方向移動から螺旋方向移動へ切り替わり時には、第２の山部２ｂが第３の山部１ａ及び第５の山部１ｃに当接して、螺旋方向移動へ切り替わる。【選択図】　　　　　　　　図３
2004061806.tif 000002
【特許請求の範囲】
【請求項１】
第１の筒部材と、
前記第１の筒部材と嵌合する第２の筒部材と、
を有し、
前記第１及び第２の筒部材は、相対的に回転しながら回転軸に沿って移動する螺旋方向移動と、前記回転軸に沿った方向の移動を伴わずに相対的に回転する円周方向移動と、を連続的に切替えて動作するレンズ鏡筒において、
前記第２の筒部材は、第１の山部及び第２の山部を有し、
前記第１の筒部材は、前記螺旋方向移動時に前記第１の山部と係合して第１の条を形成する第１の螺旋溝部と、
前記第１の螺旋溝部に隣接して設けられ、前記第２の山部と係合して第２の条を形成する第２の螺旋溝部と、
を有し、
前記第１及び第２の山部は、前記円周方向移動により隣接する条を延長した位置まで相対移動し、
前記円周方向移動から前記螺旋方向移動に切り替わるときに、前記第１の山部又は前記第２の山部に当接して前記第１の山部及び前記第２の山部をそれぞれ前記第１の螺旋溝部及び前記第２の螺旋溝部に進入するようにガイドするガイド部を備えること、
を特徴とするレンズ鏡筒。
【請求項２】
請求項１に記載のレンズ鏡筒において、
前記第１の筒部材は、前記円周方向移動時に前記第１の山部が移動する第１の円周方向溝部と、
前記円周方向移動時に前記第２の山部が移動する第２の円周方向溝部と、
を有し、
前記第１の山部は、前記第２の山部よりも前記回転軸に沿った方向の長さが短くなっており、
前記第１の円周方向溝部は、前記第２の円周方向溝部よりも前記回転軸に沿った方向の幅が狭く、前記第２の山部が通過不可能であること、
を特徴とするレンズ鏡筒。
【請求項３】
請求項２に記載のレンズ鏡筒において、
前記第１の筒部材は、前記第１の円周方向溝部と前記第２の円周方向溝部との境界部付近に、前記第２の山部が当接して前記円周方向移動から前記螺旋方向移動への切替をガイドする螺旋方向移動ガイド部を有すること、
を特徴とするレンズ鏡筒。
【請求項４】
請求項３に記載のレンズ鏡筒において、
前記第１の筒部材は、前記第１の螺旋溝部の延長線上であって、前記第１の円周方向溝部付近に、前記第１の山部が当接して前記螺旋方向移動から前記円周方向移動への切替をガイドする円周方向移動ガイド部を有すること、
を特徴とするレンズ鏡筒。
【請求項５】
請求項４に記載のレンズ鏡筒において、
前記第１の筒部材は、
前記第１の螺旋溝部と前記第２の螺旋溝部と前記第１の円周方向溝部とに囲まれた範囲に形成された第３の山部と、
前記第１の螺旋溝部と前記第２の螺旋溝部と前記第２の円周方向溝部とに囲まれた範囲に形成された第４の山部と、
前記第１の円周方向溝部を挟んで前記第３の山部と対向する位置に設けられた第５の山部と、
を有し、
前記円周方向移動ガイド部は、前記第５の山部により形成され、
螺旋方向移動ガイド部は、前記第３の山部と前記第５の山部により形成されていること、
を特徴とするレンズ鏡筒。
【発明の詳細な説明】
【０００１】
【発明の属する技術分野】
本発明は、枠部材の回転運動から直進運動を取り出して、レンズ繰出し等の動作を行うレンズ鏡筒に関するものである。
【０００２】
【従来の技術】
従来から、この種のレンズ鏡筒では、ヘリコイドと呼ばれる多条ねじ、又は、カムピンとカム溝からなるカム機構によりレンズ繰出し機構を構成することが行われている。
図５〜７は、従来のレンズ鏡筒のヘリコイドを展開して示した図である。
従来のレンズ鏡筒では、メスヘリコイドを備えたメスヘリコイド部材１０は、回転に応じて光軸方向に進退する螺旋溝部１０ａと、この螺旋溝部１０ａと連続して形成され、円周方向に沿った溝である円周方向溝部１０ｂとを有している。
【０００３】
オスヘリコイド部材２０は、メスヘリコイド部材１０の回転によりメスヘリコイド部材１０と相対的に回転運動をすると、螺旋溝部１０ａでの螺合により、回転に応じて光軸方向に移動する。円周方向溝部１０ｂでは、回転方向の相対移動はするが、光軸方向の移動は行わない。
【０００４】
【発明が解決しようとする課題】
しかし、前述した従来のレンズ鏡筒は、円周方向溝部１０ｂを雄ヘリコイド部材２０の突起部が通過するときに、螺旋溝部１０ａと干渉して動作が不安定とならないようにする必要があった。
また、誤って本来の位置とは異なる隣り合う条と螺合しないようにする必要もあった。
このような要求を満たすために、条数が制限され、条を間引きした構成となっていた。
さらに、円周方向溝部１０ｂの長さ（回転角）を少なくすることにより、このヘリコイド嵌合を成立させていた。
【０００５】
したがって、ヘリコイドを筒の全周に配置することができず、嵌合する部分が少なくなり、嵌合力が低下し、外力を受けた場合に、ヘリコイド嵌合が脱落するおそれがあった。
【０００６】
また、ヘリコイド嵌合している部分では、メスヘリコイド部材１０とオスヘリコイド部材２０との間の隙間を抜けようとする光を遮光することができるが、ヘリコイド嵌合していない部分では、遮光することができず、別途遮光手段が必要であるという問題があった。
【０００７】
さらに、メスヘリコイド部材１０内周の溝が無い部分が広くなり、その部分に光線が投射されたときに、強い反射となってフレアの原因になるという問題があった。
【０００８】
さらにまた、ヘリコイドの条を間引いた形態となるために、ヘリコイド嵌合する部分が、円周上に３方向程度しか構成できないので、メスヘリコイド部材１０の内周に設けられた金型の割線逃げに必要な凹部等に落ち込んで回転ムラの原因になるという問題があった。
その他、少ない嵌合を成立させることを優先させることから、設計上の制約となるという問題があった。
【０００９】
本発明の課題は、多数の条を形成することができ、安定して螺合し、嵌合力が高く、遮光性に優れ、迷光によるフレア，ゴースト等が生じにくいレンズ鏡筒を提供することである。
【００１０】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、第１の筒部材（１）と、前記第１の筒部材（１）と嵌合する第２の筒部材（２）と、を有し、前記第１及び第２の筒部材は、相対的に回転しながら回転軸に沿って移動する螺旋方向移動と、前記回転軸に沿った方向の移動を伴わずに相対的に回転する円周方向移動と、を連続的に切替えて動作するレンズ鏡筒において、前記第２の筒部材は、第１の山部（２ａ）及び第２の山部（２ｂ）を有し、前記第１の筒部材は、前記螺旋方向移動時に前記第１の山部と係合して第１の条を形成する第１の螺旋溝部（１ｄ）と、前記第１の螺旋溝部に隣接して設けられ、前記第２の山部と係合して第２の条を形成する第２の螺旋溝部（１ｅ）と、を有し、前記第１及び第２の山部は、前記円周方向移動により隣接する条を延長した位置まで相対移動し、前記円周方向移動から前記螺旋方向移動に切り替わるときに、前記第１の山部又は前記第２の山部に当接して前記第１の山部及び前記第２の山部をそれぞれ前記第１の螺旋溝部及び前記第２の螺旋溝部に進入するようにガイドするガイド部（１ａ，１ｃ）を備えること、を特徴とするレンズ鏡筒である。
【００１１】
請求項２の発明は、請求項１に記載のレンズ鏡筒において、前記第１の筒部材（１）は、前記円周方向移動時に前記第１の山部（２ａ）が移動する第１の円周方向溝部（１ｇ）と、前記円周方向移動時に前記第２の山部（２ｂ）が移動する第２の円周方向溝部（１ｆ）と、を有し、前記第１の山部は、前記第２の山部よりも前記回転軸に沿った方向の長さが短くなっており、前記第１の円周方向溝部は、前記第２の円周方向溝部よりも前記回転軸に沿った方向の幅が狭く、前記第２の山部が通過不可能であること、を特徴とするレンズ鏡筒である。
【００１２】
請求項３の発明は、請求項２に記載のレンズ鏡筒において、前記第１の筒部材（１）は、前記第１の円周方向溝部（１ｇ）と前記第２の円周方向溝部（１ｆ）との境界部付近に、前記第２の山部（２ｂ）が当接して前記円周方向移動から前記螺旋方向移動への切替をガイドする螺旋方向移動ガイド部（１ａ，１ｃ）を有すること、を特徴とするレンズ鏡筒である。
【００１３】
請求項４の発明は、請求項３に記載のレンズ鏡筒において、前記第１の筒部材（１）は、前記第１の螺旋溝部（１ｄ）の延長線上であって、前記第１の円周方向溝部（１ｇ）付近に、前記第１の山部（２ａ）が当接して前記螺旋方向移動から前記円周方向移動への切替をガイドする円周方向移動ガイド部（１ｃ）を有すること、を特徴とするレンズ鏡筒である。
【００１４】
請求項５の発明は、請求項４に記載のレンズ鏡筒において、前記第１の筒部材（１）は、前記第１の螺旋溝部（１ｄ）と前記第２の螺旋溝部（１ｅ）と前記第１の円周方向溝部（１ｇ）とに囲まれた範囲に形成された第３の山部（１ａ）と、前記第１の螺旋溝部と前記第２の螺旋溝部と前記第２の円周方向溝部（１ｆ）とに囲まれた範囲に形成された第４の山部（１ｂ）と、前記第１の円周方向溝部を挟んで前記第３の山部（１ａ）と対向する位置に設けられた第５の山部（１ｃ）と、を有し、前記円周方向移動ガイド部は、前記第５の山部（１ｃ）により形成され、螺旋方向移動ガイド部は、前記第３の山部（１ａ）と前記第５の山部（１ｃ）により形成されていること、を特徴とするレンズ鏡筒である。
【００１５】
【発明の実施の形態】
以下、図面等を参照しながら、本発明の実施の形態について、更に詳しく説明する。
図１は、本発明によるレンズ鏡筒の実施形態を示す図である。
本実施形態におけるレンズ鏡筒は、メスヘリコイド部材（第１の筒部材）１と、オスヘリコイド部材（第２の筒部材）２とが組み合わせられて、メスヘリコイド部材１が回転することにより、オスヘリコイド部材２が後述する螺旋方向移動と円周方向移動とを連続的に切替えて動作するレンズ鏡筒である。
【００１６】
図２は、本発明によるレンズ鏡筒の実施形態を示す展開図である。
メスヘリコイド部材１は、第３の山部１ａ，第４の山部１ｂ，第５の山部１ｃ，第１の螺旋溝部１ｄ，第２の螺旋溝部１ｅ，第１の円周方向溝部１ｇ，第２の円周方向溝部１ｆを有している。
オスヘリコイド部材２は、第１の山部２ａ，第２の山部２ｂを有しており、不図示の直進ガイド機構により、回転を規制されて直進のみ可能に設けられている。
【００１７】
第１の螺旋溝部１ｄは、第１の山部２ａと係合して第１の条を形成するヘリコイド溝であり、第２の螺旋溝部１ｅは、第２の山部２ｂと係合して第２の条を形成するヘリコイド溝である。これらのヘリコイド嵌合により、メスヘリコイド部材１とオスヘリコイド部材２との相対回転が回転中心に沿った方向（以下、直進方向とする）の直線移動に変換される（螺旋方向移動）。
メスヘリコイド部材１の内周面において、第１の螺旋溝部１ｄと第２の螺旋溝部１ｅとの間に形成される山部は、第１の螺旋溝部１ｄと第２の螺旋溝部１ｅと第１の円周方向溝部１ｇとに囲まれた範囲に形成された第３の山部１ａと、第１の螺旋溝部１ｄと第２の螺旋溝部１ｅと第２の円周方向溝部１ｆとに囲まれた範囲に形成された第４の山部１ｂとの２種類がある。
【００１８】
第１の円周方向溝部１ｇは、第１の山部２ａに対応した溝であり、第２の円周方向溝部１ｆは、第２の山部２ｂに対応した溝である。第１の円周方向溝部１ｇの直進方向の幅は、第１の山部２ａの直進方向の幅との嵌合寸法となっている。したがって、これらの部分で嵌合しているときには、メスヘリコイド部材１とオスヘリコイド部材２とは、相対的に直進方向に移動することができないので、相対的に回転移動を行う（円周方向移動）。なお、第２の円周方向溝部１ｆの直進方向の幅は、第２の山部２ｂの直進方向の幅よりも十分に広くなっている。
第１の山部２ａは、第２の山部２ｂよりも直進方向の長さが長い。また、第１の円周方向溝部１ｇは、第２の円周方向溝部１ｆよりも直進方向の幅が狭くなっている。したがって、第２の山部２ｂは、第１の円周方向溝部１ｇを通過することができない。
【００１９】
本実施形態では、第１の山部２ａ及び第２の山部２ｂは、円周方向移動により隣接する条を延長した位置まで相対移動する。したがって、第３の山部１ａ及び第４の山部１ｂの延長線上に、第１の円周方向溝部１ｇ及び第２の円周方向溝部１ｆが形成されている。
【００２０】
第５の山部１ｃは、第３の山部１ａの略延長線上に形成されている山部である。第３の山部１ａと第５の山部１ｃとに挟まれた位置に、第１の円周方向溝部１ｇが形成されている。
【００２１】
次に、本実施形態におけるレンズ鏡筒の動作について説明する。
（螺旋方向移動）
螺旋方向移動を行っているときの状態は、図２に示されている。螺旋方向移動を行っているときには、第１の螺旋溝部１ｄに第１の山部２ａが螺合し、第２の螺旋溝部１ｅに第２の山部２ｂが螺合しており、オスヘリコイド部材２は、メスヘリコイド部材１に対し回転しながら直進方向に移動する。
【００２２】
（螺旋方向移動から円周方向移動へ切り替わり）
図３は、螺旋方向移動から円周方向移動へ切り替るときの状態を示す展開図である。
図２の状態から図３の状態まで移動すると、第１の螺旋溝部１ｄと第１の山部２ａとの螺合、及び、第２の螺旋溝部１ｅと第２の山部２ｂとの螺合が外れる。また、これらの螺合が外れるのと同時に、第１の山部２ａが第５の山部１ｃに当接し、オスヘリコイド２は、メスヘリコイド１に対し回転移動のみをすることとなる。この場合、第５の山部１ｃは、螺旋方向移動から円周方向移動への切替をガイドする円周方向移動ガイド部として働く。
【００２３】
（円周方向移動）
図４は、円周方向移動を行っているときの状態を示す図である。
図４に示す円周方向移動時には、第１の山部２ａは、第１の円周方向溝部１ｇと嵌合して直進方向の相対位置を規制している。第２の山部２ｂは、円周方向移動時に第２の円周方向溝部１ｆ上にあるが、第２の円周方向溝部１ｆを形成する第４の山部１ｂとの間に隙間を有している。
【００２４】
（円周方向移動から螺旋方向移動へ切り替わり）
円周方向移動から螺旋方向移動へ切り替るときの状態は、上述の図３の状態であり、相対的な回転の方向が反対となる。この場合、第１の山部２ａ及び第２の山部２ｂは、第１の円周方向溝部１ｇ及び第２の円周方向溝部１ｆから外れると同時に、第２の山部２ｂが第３の山部１ａ及び第５の山部１ｃに当接して、螺旋方向移動へ切り替わる。この場合、第３の山部１ａ及び第５の山部１ｃは、円周方向移動から螺旋方向移動への切替をガイドする螺旋方向移動ガイド部として働く。
【００２５】
このように、本実施形態では、第１の山部２ａ及び第２の山部２ｂは、円周方向移動により隣接する条を延長した位置まで相対移動する構成であっても、螺旋方向移動から円周方向移動への切り替わり、円周方向移動から螺旋方向移動への切り替わりとも確実に行われる。したがって、第３の山部１ａ及び第４の山部１ｂの延長線上に、第１の円周方向溝部１ｇと第２の円周方向溝部１ｆを形成することができ、条数を増やすことができる。これにより、高精度で安定して螺合し、嵌合力が高く、遮光性に優れ、迷光によるフレア，ゴースト等が生じにくいレンズ鏡筒とすることができる。
【００２６】
（変形形態）
以上説明した実施形態に限定されることなく、種々の変形や変更が可能であって、それらも本発明の均等の範囲内である。
例えば、本実施形態では、メスヘリコイド部材１が回転することにより、オスヘリコイド部材２が駆動される例を示したが、これに限らず、例えば、オスヘリコイド部材が回転することにより、メスヘリコイド部材が駆動されてもよい。
【００２７】
【発明の効果】
以上詳しく説明したように、本発明によれば、以下の効果を奏することができる。
（１）円周方向移動から螺旋方向移動に切り替わるときに、第１の山部又は第２の山部に当接して第１の山部及び第２の山部をそれぞれ第１の螺旋溝部及び第２の螺旋溝部に進入するようにガイドするガイド部を備えるので、誤った条に山部が進入することがなく、条数を増やすことができ、高精度で安定して螺合し、嵌合力が高く、遮光性に優れ、迷光によるフレア，ゴースト等が生じにくくすることができる。
【００２８】
（２）第１の円周方向溝部は、第２の円周方向溝部よりも回転軸に沿った方向の幅が狭く、第２の山部が通過不可能であるので、第２の山部が誤って第１の円周方向溝部まで移動することなく、正しく動作することができる。
【００２９】
（３）第１の筒部材は、第１の円周方向溝部と第２の円周方向溝部との境界部付近に、第２の山部が当接して円周方向移動から螺旋方向移動への切替をガイドする螺旋方向移動ガイド部を有するので、より確実に円周方向移動から螺旋方向移動へ切替できる。
【００３０】
（４）第１の筒部材は、第１の螺旋溝部の延長線上であって、第１の円周方向溝部付近に、第１の山部が当接して螺旋方向移動から円周方向移動への切替をガイドする円周方向移動ガイド部を有するので、螺旋方向移動から円周方向移動への切替を確実にすることができる。
【００３１】
（５）円周方向移動ガイド部は、第５の山部により形成され、螺旋方向移動ガイド部は、第３の山部と第５の山部により形成されているので、簡単な構成で本発明を実現することができる。
【図面の簡単な説明】
【図１】本発明によるレンズ鏡筒の実施形態を示す図である。
【図２】本発明によるレンズ鏡筒の実施形態を示す展開図である。
【図３】螺旋方向移動から円周方向移動へ切り替るときの状態を示す展開図である。
【図４】円周方向移動を行っているときの状態を示す図である。
【図５】従来のレンズ鏡筒のヘリコイドを展開して示した図である。
【図６】従来のレンズ鏡筒のヘリコイドを展開して示した図である。
【図７】従来のレンズ鏡筒のヘリコイドを展開して示した図である。
【符号の説明】
１　メスヘリコイド部材
１ａ　第３の山部
１ｂ　第４の山部
１ｃ　第５の山部
１ｄ　第１の螺旋溝部
１ｅ　第２の螺旋溝部
１ｆ　第２の円周方向溝部
１ｇ　第１の円周方向溝部
２　オスヘリコイド部材
２ａ　第１の山部
２ｂ　第２の山部
【図１】
2004061806.tif 000003
【図２】
2004061806.tif 000004
【図３】
2004061806.tif 000005
【図４】
2004061806.tif 000006
【図５】
2004061806.tif 000007
【図６】
2004061806.tif 000008
【図７】
2004061806.tif 000009